(57)【要約】【課題】マンホール内の作業等に使用する簡易作業足場において、簡単な構成で経済的に得られる簡易作業足場を提供する。【解決手段】平板状の踏板部７を設け、その両側を裏側に折り重ねて折り重ね縁部８を形成する。この折り重ね縁部８の内端には下方に屈曲して延びる下向片９と該下向片に連続して上方に屈曲して延びる上向片１０により筒状の支持枠部１２が形成されている。この支持枠部の上向片の先端は上記踏板部７の裏面に沿って屈曲し、屈曲部が該踏板部７に溶接されている。【選択図】図１
2009270317.tif 000002
【特許請求の範囲】
【請求項１】
平板状の踏板部を有し、該踏板部の両側に該踏板部の端縁を裏側に折り重ねて形成した折り重ね縁部を設け、該折り重ね縁部の内端に下方に屈曲して延びる下向片と該下向片に連続して上方に屈曲して延びる上向片により筒状の支持枠部を形成し、該支持枠部の上向片の先端を上記踏板部の裏面に沿って屈曲して該踏板部に固定したことを特徴とする足場台。
【請求項２】
上記支持枠部は上記下向片と上向片間を横方向に連絡する横向片により断面略矩形状に形成されている請求項１に記載の足場台。
【請求項３】
上記請求項１又は請求項２記載の足場台の一側に上方に起立する支柱部を形成し、該支柱部にフックを設けた簡易作業足場。
【請求項４】
金属板で形成された基板の外縁に外縁間隔部をあけて支持枠部となる凹部を形成する工程、次に該凹部に沿って内方間隔部をあけて基板を起立して踏板部を形成する工程、次に該内方間隔部を踏板部に折り重ねて折り重ね縁部を形成すると共に上記外縁間隔部を踏板部に折り重ねる工程、上記外縁間隔部を上記踏板部に固定する工程を含む請求項１に記載の足場台の製造方法。
【発明の詳細な説明】
【技術分野】
【０００１】
本発明は、各種の建築現場や作業現場において使用する足場台、特にマンホール内に設けられているステップに取り付けて使用できる簡易作業足場及びその製造方法に関するものである。
【背景技術】
【０００２】
作業者がその上に載って作業をできるようにした各種作業用足場が知られており、マンホール内のステップに引っ掛けて使用するようにした簡易作業足場も知られている（例えば、特許文献１参照）。このような従来の足場台は、強度をもたせるため、角型パイプを切断して長辺となる一対の鋼柱と短辺となる一対の鋼柱を形成し、この鋼柱を平面視略コ字状に組み合わせて溶接し、長辺をなす一対の鋼柱間に複数の短い補助鋼柱を組み込んでフレーム本体を作り、その上に別体に形成した鋼板を溶接しているので、製造が面倒で、重量も重くなり、取り扱いが大変で、経済的にも得にくかった。上記のような角型パイプ製の鋼柱を使用せずにプレス加工により形成するようにした足場板も提案されている（例えば、特許文献２参照。）この足場板は、足場板単体の両側部を屈曲させて角筒状の閉じ断面を有する補強縁を形成し、その端縁を足場板単体の裏面の添着（溶接）した構成（図８参照）であるが、実際にこのような構造の足場板をプレス加工により製造することは簡単ではない。
【０００３】
図９は、図８のような断面形状の足場板をプレス加工で成形する際の一般的な手順を示し、先ず基板４０の両側に外縁間隔部４１をあけて補強縁となる断面略コ字状の凹部４２を形成し（図９Ａ）、次に足場板単体４３の上面エッジの角部４４を形成するため該角部に対応する部分を下型４５の上に載せ、上から上型４６でプレスする（図９Ｂ）。この際、図９Ｃに示すように、基板の曲がり方向から上型４６が進入するため、基板の外縁間隔部４１が該上型４６に当り、該外縁間隔部４１が足場板単体４３の裏面に完全に接触するまで上記基板４０を曲げることができない。そこで、図９Ｄのように、上記の如き上型を使用しないで屈曲部の上方からプレスしようとすると、曲げモーメントの関係で下型４５に接する角部４７が広がり上部内方の角部４８が鋭角になろうとするので、全体として歪みを生じてしまう。また、そのようにしないためには、図９Ｅに示すように上記凹部４２内に長尺の中子４９を入れて補強することも考えられるが、下型４５及び中子４９は規定寸法が必要であるから、汎用性がなく、経済的でない。さらに、全体を図１０に示すような両側を規制する下型５０に入れ、上型５１でプレスすれば足場板単体４３の裏面に外縁間隔部４１を充分に添着させることもできるが、そのような構成を採用する場合には基板の曲げ寸法や足場単体の幅等により複数の専用金型が必要になり、経済的に得られない。
【特許文献１】特開２００７−３２７２２１号公報（段落００３２、図１）
【特許文献２】実開昭５６−６５０５６号公報（実用新案登録請求の範囲、第２図）
【発明の開示】
【発明が解決しようとする課題】
【０００４】
本発明の解決課題は、上記のような足場台や作業用足場において、構成が簡単で、重量を増加させることもなく、経済的に得られる足場台およびそれを用いた簡易作業足場並びにその製造方法を提供することである。
【課題を解決するための手段】
【０００５】
本発明によれば、平板状の踏板部を有し、該踏板部の両側に該踏板部の端縁を裏側に折り重ねて形成した折り重ね縁部を設け、該折り重ね縁部の内端に下方に屈曲して延びる下向片と該下向片に連続して上方に屈曲して延びる上向片により断面略矩形状等の筒状の支持枠部を形成し、該支持枠部の上向片の先端を上記踏板部の裏面に沿って屈曲して該踏板部に固定したことを特徴とする足場台が提供され、また、この足場台の一側に上方に起立する支柱部を形成し、該支柱部にフックを設けた簡易作業足場が提供され、上記課題が解決される。
【０００６】
さらに、本発明によれば、金属板で形成された基板の外縁に外縁間隔部をあけて支持枠部となる凹部を形成する工程、次に該凹部に沿って内方間隔あけて基板を起立して踏板部を形成する工程、次に該内方間隔部を踏板部に折り重ねて折り重ね縁部を形成すると共に上記外縁間隔部を踏板部に折り重ねる工程、上記外縁間隔部を上記踏板部に固定する工程を含む上記足場台の製造方法が提供され、上記課題が解決される。
【発明の効果】
【０００７】
本発明は、上記のように構成され、平板状の踏板部を有し、該踏板部の両側に該踏板部の端縁を裏側に折り重ねて形成した折り重ね縁部を設け、該折り重ね縁部の内端に下方に屈曲して延びる下向片と該下向片に連続して上方に屈曲して延びる上向片により断面略矩形状等の筒状の支持枠部を形成し、該支持枠部の上向片の先端を上記踏板部の裏面に沿って屈曲して該踏板部に固定するようにしたから、従来のように角型パイプ材料を使用せず、プレス加工により金属製の基板を折り曲げて踏板部と一体の支持枠部を形成することができ、強度のある構造が得られ、経済的に製造することができ、重量も大きくならず、取り扱いも容易である。また、平板状の踏板部の両端に折り重ね縁部を設けたから、該折り重ね縁部を形成するときに基板の外縁間隔部に連絡する支持枠部の上向片の先端を踏板部の裏面に簡単かつ確実に沿わせることができ、所定の上記構造に容易に形成でき、製造が簡単である。  
【発明を実施するための最良の形態】
【０００８】
本発明は、各種作業現場で使用する足場台に適用することができ、図１〜図３には、本発明をマンホール内の作業に使用する簡易作業足場に適用した一実施例が示されている。図において、簡易作業足場１はほぼ水平に延びる足場台２と該足場台２の一側に起立して設けた支柱部３を有し、該支柱部３の先端にはフック４が設けられ、該フック４をマンホール内のステップ５に引っ掛けて使用する。なお、該足場台２と支柱部３は補強部材６をコーナー部分にあててほぼ直角に溶接されているが、組み立て式に連結できるようにしたり、軸を介して折りたたみ可能に連結してもよい（図示略）。
【０００９】
上記足場台２は、金属板で形成された平板状の踏板部７を有し、該踏板部７の両側に該踏板部の端縁を裏側に折り重ねて形成した折り重ね縁部８を設けてある。該折り重ね縁部８の内端には、下方に屈曲して延びる下向片９と、該下向片９に連続して上方に屈曲して延びる上向片１０と、該下向片９および上向片１０を横方向に連結する横向片１１により断面略矩形状の筒状の支持枠部１２を形成してある。この支持枠部の形状は所望の強度が得られるよう断面係数を考慮して形成され、図に示す断面形状の他、例えば断面略Ｕ字状や略Ｖ字状、略Ｗ字状等に形成することもでき、また図に示す実施例では２つの支持枠部を設けてあるが、３つ以上の支持枠部を並列して形成してもよい。該支持枠部の上向片１０の先端は上記踏板部７の裏面に沿って屈曲しており、屈曲部がスポット溶接等により該踏板部に固定されている。    
【００１０】
上記足場台はプレス加工により容易に製造することができる。図５を参照して基本的な手順を説明すると、最初に、金属板で形成された基板１３の外縁に外縁間隔部１３をあけて支持枠部１２となる凹部１５、図に示す実施例では断面矩形状の凹部１５をプレス形成する（図５Ａ）。このとき、支持枠部を３つ以上にするときは、それに応じて並列した複数の凹部を形成すればよい。次に凹部に沿って内方間隔部１６をあけて基板を９０度起立させ、角部１７間に所定幅の踏板部７を形成する（図５Ｂ）。そして、該角部１７をさらに折り曲げ、上記内方間隔部１６を上記踏板部７に折り重ね、踏板部の両側縁に折り重ね縁部８を形成すると共に外縁間隔部１４を踏板部７の裏面に折り重ねる（図５Ｃ）。最後に、上記踏板部の裏面に接した該外縁間隔部１４と踏板部７をスポット溶接等で固定する（図５Ｄ）。
【００１１】
具体的には、上記加工はヘミング加工用の金型を使用して簡単に行うことができる。図６を参照し、図６Ａは金型の一例を示し、上型（曲げ金型）１８と下型１９を具備し、上型１８は上下動可能で下型１９の溝２０に対向して突曲加工用の先端部２１を有し、該下型１９は上記溝２０を形成した可動型２２と該可動型を保持する固定型２３と該可動型を図において上方に付勢するばね２４を有する。該可動型２２の一方の下縁は側方に突出し固定型２３との間で基板を平押する挟着部２５を形成している。そして、上記図５Ｂのように外縁間隔部１４の内方に凹部１５を形成しかつ内方間隔部１６をあけて９０度折り曲げることにより踏板部７を形成した上記加工品を用意し、上記踏板部の側方の角部１７を上記下型１９の溝２０の上にセットし、上型１８の先端部２１で突き曲げることにより該角部１７を鋭角に折り曲げる（図６Ｂ、Ｃ）。次に、鋭角に折り曲げられたこの角部１７を上記挟着部２５にセットし、上型１８を降下させると、内方間隔部１６が平押しされて踏板部７に折り重ねられ、踏板部の両側に折り重ね縁部８が形成されると共に外縁間隔部１４が踏板部７の裏面に折り重ねられる（図６Ｄ、Ｅ）。この外縁間隔部１４は上記踏板部７に充分に折り重ねられているから、スポット溶接等の溶接作業を簡単かつ確実にできる。
【００１２】
実施例においては、上記支柱部３も上記足場台２とほぼ同じようにプレス加工により形成されているが、適宜の板状部材や棒状部材等の別部材で支持部を構成することもできる（図示略）。また、支柱部３には上下動可能に補助フック部２６が設けられている。該補助フック部２６は、図７に示すように、断面矩形状の箱型に形成され、外板２７の背面にフック２８を設け、支柱部３の板状部２９に挿通するよう上下に開口する差込溝３０を形成し、該差込溝３０の一側に支柱枠部３１の外方及び支柱枠部３１に入り込む案内片を有する案内板３２を上部、下部に形成し、上部の案内板を大きく形成して把持孔３２を設けて取手３３としてある。なお、該取手３３を把持したとき補助フック部２６は上記フック４にあたって抜け止される。このように、補助フック部２６を移動可能に設けたことによりマンホール内のステップの間隔が多少相違していても上記フック４と共同して足場台を確実にステップに係止することができる。また、所望により上記板状部２９には保持用の孔３５を設けることができる。
【００１３】
上記簡易作業足場１を使用するには、マンホール内に全体を降下させて上記フック４、２８をステップ５に引っ掛ければよい。それにより、上記足場台はほぼ水平に位置するから、その上に載って作業することができる。
【図面の簡単な説明】
【００１４】
【図１】本発明の一実施例を示す一部切り欠き斜視図。
【図２】平面図。
【図３】断面図。
【図４】足場台の断面図。
【図５】足場台の製造工程を示す説明図。
【図６】製造時の金型及びその移動状態を示す説明図
【図７】補助フックの一部切り欠き斜視図。
【図８】従来の足場板の一例を示す断面図。
【図９】図８に示す足場板の製造方法の説明図。
【図１０】図８に示す足場板の他の製造方法の説明図。
【符号の説明】
【００１５】
１    簡易作業足場
２    足場台
３    支柱部
４    フック
７    踏板部
８    折り重ね縁部
１２  支持枠部
２６  補助フック部
【図１】
2009270317.tif 000003
【図２】
2009270317.tif 000004
【図３】
2009270317.tif 000005
【図４】
2009270317.tif 000006
【図５】
2009270317.tif 000007
【図６】
2009270317.tif 000008
【図７】
2009270317.tif 000009
【図８】
2009270317.tif 000010
【図９】
2009270317.tif 000011
【図１０】
2009270317.tif 000012